(57)【要約】入力映像データが入力される乗算器と、前記乗算器の出力が入力される加算器と、前記乗算器と加算器に与える補正データを格納したメモリと、制御部とを有する。前記メモリには、１つの表示ドットの複数の輝度補正点のためのそれぞれの補正データが用意され、かつ、前記補正データは、映像データに対する乗算用と加算用の補正データを含む。制御部の制御に基づいて、前記乗算器にて各表示ドットに対応する前記映像データに対して、それぞれ乗算用の補正データを乗算し（ＳＴ１，ＳＴ２）、この乗算結果の映像データに対して、前記加算器にて、さらに加減算用の補正データを加算又は減算し（ＳＴ３）、この加算処理により得られた映像データを対応する表示ドットに出力する（ＳＴ４）。【特許請求の範囲】
【請求項１】
入力映像データが入力される加算器又は減算器を含む演算経路と、前記演算経路で用いる補正データを格納したメモリであり、少なくとも１つの表示ドットの輝度特性上で複数の輝度補正点を設定し、前記複数の輝度補正点の補正データを格納したメモリと、前記演算経路及び前記メモリとを制御する制御部とを有し、
前記制御部の制御により、
前記表示ドットに対する上記複数の輝度補正点の前記入力映像データが入力したときに、前記メモリに格納されている補正データを、前記入力映像データの補正用として前記演算経路に与え、
前記複数の輝度補正点の間の入力映像データが入力したときは、前記補正データを用いて補間補正データを生成し、この補間補正データを、前記入力映像データの補正用として前記演算経路に与える表示装置の輝度特性補正方法。
【請求項２】
前記演算経路は、入力映像データが入力される乗算器と前記乗算器の出力映像データが入力される加算器を含み、前記メモリは、前記乗算器と加算器に与える補正データを格納しており、前記制御部は、上記乗算器、加算器、メモリを制御するものであり、
前記メモリには、少なくとも１つの表示ドットの輝度特性上で複数の輝度補正点のための補正データが用意され、かつ、前記補正データは、映像データに対する乗算用と加算用の補正データを含み、
前記制御部の制御により、
前記演算経路の前記乗算器にて前記表示ドットに対応する前記映像データに対して、乗算用の補正データを乗算し、
この乗算した結果得られた映像データに対して、前記加算器にて、さらに加減算用のデータを加算又は減算し、
この加算処理により得られた映像データを対応する表示ドットに出力する
請求項１記載の表示装置の輝度特性補正方法。
【請求項３】
前記乗算用の補正データ及び加減算用の補正データは、前記入力映像データが対応する表示ドットを駆動したとき、この表示ドットの輝度の特性が、予め設定している輝度の低い基準表示ドットの輝度の特性に近づくように補正するためのデータである請求項２記載の表示装置の輝度特性補正方法。
【請求項４】
前記乗算用の補正データ及び加減算用の補正データは、前記入力映像データが対応する表示ドットを駆動したとき、この表示ドットの輝度の特性が、予め設定している輝度の高い基準表示ドットの輝度の特性に近づくように補正するためのデータである請求項２記載の表示装置の輝度特性補正方法。
【請求項５】
前記入力映像データの値が、予め設定している複数の領域のうちいずれの領域に属するかに応じて、前記乗算用と加算用の補正データは、その値が切り替えられる
請求項２記載の表示装置の輝度特性補正方法。
【請求項６】
前記加減算用の補正データ、前記乗算用の補正データは、第１の表示ドットのための第１の補正データであり、第２の表示ドットのための第２の補正データは、前記第１の表示ドットと第２の表示ドットの輝度差を表す輝度差データと、前記第１の補正データを用いた計算により生成される請求項２記載の表示装置の輝度特性補正方法。
【請求項７】
前記乗算用の補正データと加減算用の補正データは、前記入力映像データの値の複数点（複数の輝度点）に対応して、複数組用意されており、
入力映像データが、複数の経路に分岐され、
複数組の前記乗算用の補正データと加減算用の補正データは、それぞれ各経路で乗算と加算用に用いられ、
セレクタが、前記入力映像データの値に応じていずれか１つの経路の計算結果を出力する請求項２記載の表示装置の輝度特性補正方法。
【請求項８】
前記乗算用の補正データと加減算用の補正データは、前記入力映像データの値の複数点（複数の輝度点）に対応して、複数組用意されており、
入力映像データが、複数の経路に分岐され、
複数組の前記乗算用の補正データと加減算用の補正データは、それぞれ各経路でセレクタを介して乗算と加算用に用いられ、
前記セレクタは、前記入力映像データの値に応じていずれか１つの組みの前記乗算用の補正データと加減算用の補正データを用いている
請求項２記載の表示装置の輝度特性補正方法。
【請求項９】
前記乗算用の補正データと加減算用の補正データは、前記入力映像データの値の複数点（複数の輝度点）に対応して、複数組用意されており、
入力映像データは導入される１つの経路に導かれ、
複数組の前記乗算用の補正データと加減算用の補正データは、それぞれ前記経路でセレクタを介して乗算と加算用に用いられ、
前記セレクタは、前記入力映像データの値に応じていずれか１つの組みの前記乗算用の補正データと加減算用の補正データを用いている
請求項２記載の表示装置の輝度特性補正方法。
【請求項１０】
入力映像データが入力される加算又は減算器を含む演算経路と、
前記演算経路で用いるための補正データであって、少なくとも１つの表示ドットの輝度特性上で複数の輝度補正点を設定し、前記複数の輝度補正点の補正データを格納したメモリと、
前記表示ドットに対する上記複数の輝度補正点の前記入力映像データが入力したときに、前記メモリに格納されている補正データを、前記入力映像データの補正用として前記演算経路に与え、前記複数の輝度補正点の間の入力映像データが入力したときは、前記補正データを用いて補間補正データを生成し、この補間補正データを、前記入力映像データの補正用として前記演算経路に与える制御部と、
を有した表示装置の輝度特性補正装置。
【請求項１１】
前記演算経路は、入力映像データが入力される乗算器と前記乗算器の出力映像データが入力される加算器を含み、
前記メモリは、前記乗算器と加算器に与える前記補正データを格納しており、
前記制御部は、前記乗算器にて前記表示ドットに対応する前記映像データに対して、乗算用の補正データを乗算し、この乗算した結果得られた映像データに対して、前記加算器にて、さらに加減算用の補正データを加算又は減算し、この加算処理により得られた映像データを対応する表示ドットに出力する
請求項１０記載の表示装置の輝度特性補正装置。
【請求項１２】
前記入力映像データは、複数の経路に分岐され、
前記乗算器と加算器は、それぞれの経路に設けられており、
各経路の最終出力は、前記制御部に含まれるセレクタにより選択されて出力される請求項１１記載の表示装置の輝度特性補正装置。
【請求項１３】
前記乗算用の補正データと加減算用の補正データは、前記入力映像データの値の複数点（複数の輝度点）に対応して、複数組用意されており、
前記入力映像データが、分岐されて導入される複数の経路が設けられ、
複数組の前記乗算用の補正データと加減算用の補正データを、それぞれ各経路の乗算器と加算器に供給する複数のセレクタと、
前記セレクタが、前記入力映像データの値に応じていずれか１つの組みの前記乗算用の補正データと加減算用の補正データを選択するように制御する判定部を具備した請求項１１記載の表示装置の輝度特性補正装置。
【請求項１４】
前記乗算用の補正データと加減算用の補正データは、前記入力映像データの値の複数点（複数の輝度点）に対応して、複数組用意されており、
前記入力映像データが導入される１つの経路が設けられ、
複数組の前記乗算用の補正データと加減算用の補正データを、それぞれ前記経路の前記乗算器と加算器に供給するセレクタと、
前記セレクタが、前記入力映像データの値に応じていずれか１つの組みの前記乗算用の補正データと加減算用の補正データを選択するように制御する判定部
請求項１１記載の表示装置の輝度特性補正装置。
【請求項１５】
前記入力映像データの値が、予め設定している複数の領域のうちいずれの領域に属するかに応じて、前記乗算用と加算用の補正データの値を切り替える判定部を有した請求項１１記載の表示装置の輝度特性補正装置。
【請求項１６】
前記メモリに格納された、前記加減算用の補正データ、前記乗算用の補正データは、第１の表示ドットのための第１の補正データであり、
計算部により、第２の表示ドットのための第２の補正データは、前記第１の表示ドットと第２の表示ドットの輝度差を表す輝度差データと、前記第１の補正データを用いた計算により生成される請求項１１記載の表示装置の輝度特性補正装置。
【請求項１７】
前記輝度差データは、複数の表示ドットのデータとして予めテーブルに格納されている請求項１６記載の表示装置の輝度特性補正装置。
【請求項１８】
入力映像データが入力される乗算器と、
前記乗算器の出力映像データが入力される加算器を含む第１の経路と、
前記乗算器と加算器に与える補正データであり、かつ、少なくとも１つの表示ドットの複数の輝度補正点のためのそれぞれの補正データであり、かつ、前記補正データは、映像データに対する乗算用と加算用の補正データを含み、この補正データを格納したメモリと、
前記第１の経路の前記乗算器にて前記表示ドットに対応する前記映像データに対して、乗算用の補正データを乗算し、この乗算した結果得られた映像データに対して、前記加算器にて、さらに加減算用のデータを加算又は減算し、この加算処理により得られた映像データを対応する表示ドットに出力するように制御する制御部と、
前記加算処理された映像データが供給される前記表示ドットを含む表示部と
を備えた映像表示装置。
【請求項１９】
前記入力映像データの値が、予め設定している複数の領域のうちいずれの領域に属するかに応じて、前記乗算用と加算用の補正データの値を切り替える判定部を有した請求項１８記載の映像表示装置。
【請求項２０】
前記入力映像データは、複数の経路に分岐され、
前記乗算器と加算器は、それぞれの経路に設けられており、
各経路の最終出力は、前記制御部に含まれるセレクタにより選択されて出力される請求項１８記載の映像表示装置。
【請求項２１】
前記乗算用の補正データと加減算用の補正データは、前記入力映像データの値の複数点（複数の輝度点）に対応して、複数組用意されており、
前記入力映像データが、分岐されて導入される複数の経路が設けられ、
複数組の前記乗算用の補正データと加減算用の補正データを、それぞれ各経路の乗算器と加算器に供給する複数のセレクタと、
前記セレクタが、前記入力映像データの値に応じていずれか１つの組みの前記乗算用の補正データと加減算用の補正データを選択するように制御する判定部を具備した請求項１８記載の映像表示装置。
【請求項２２】
前記乗算用の補正データと加減算用の補正データは、前記入力映像データの値の複数点（複数の輝度点）に対応して、複数組用意されており、
前記入力映像データが導入される１つの経路が設けられ、
複数組の前記乗算用の補正データと加減算用の補正データを、それぞれ前記経路の前記乗算器と加算器に供給するセレクタと、
前記セレクタが、前記入力映像データの値に応じていずれか１つの組みの前記乗算用の補正データと加減算用の補正データを選択するように制御する判定部
請求項１８記載の映像表示装置。
【発明の詳細な説明】
【技術分野】
【０００１】  本発明は、フィールドエミッション（Ｆｉｅｌｄ  Ｅｍｉｓｓｉｏｎ：電界放出）タイプの素子、表面電界（Ｓｕｒｆａｃｅ−ｃｏｎｄｕｃｔｉｏｎ  Ｅｌｅｃｔｒｏｎ−ｅｍｉｔｔｅｒ）タイプの素子、プラズマ発光素子などを用いた平面型の映像表示装置であって表示ドット毎の輝度むらを補正することができる映像表示装置及び当該装置の輝度特性補正方法に関する。
【背景技術】
【０００２】  映像表示装置においては、発光素子間の輝度特性のバラツキによって、輝度むら、色むらなどが発生するという問題があった。この問題を解決するために、以下に説明する特許文献１が提案されている。【０００３】  特許文献１では、表示装置に表示された映像を撮像し、これにより得た映像信号をアナログデジタル変換して補正データを得て、この補正データを加工し、不揮発性メモリに書き込みこの書き込まれた補正データを用いて前記表示装置に表示される映像信号が補正されるようになっている（例えば特開２００１−７５５４２公報参照）。
【発明の開示】
【０００４】  各発光素子間の輝度特性のばらつきは、上記の特開２００１−７５５４２公報に記載されているように補正されるが、本発明者等は、さらに改善すべき点に着目した。
【０００５】  すなわち、発光素子自体に着目した場合、発光素子の輝度の変化と、発光素子に与える電圧変化（映像データのレベル）の関係は、必ずしも直線的（リニア）な関係ではない。したがって、発光素子に与える映像データを補正する場合、その補正方法についてもその入出力特性が単純にリニアに変化するような方法を採用することができない。
【０００６】  また、発光素子の輝度を可変する方法として、発光素子に与えるパルス幅の変化により可変する方法と、電圧値により可変する方法等があるが、これらの方法を組み合せるとより細かい階調表現が期待できる。
【０００７】  そこでこの発明は、上記の事情に鑑みてなされたもので、発光素子の輝度の変化と、発光素子に与える電圧変化（映像データのレベル）の関係は、必ずしも直線的（リニア）な関係で無いことに着目し、表示ドット毎に複数の補正データを持たせ、この複数の補正データを用いることにより、きめ細かく、適切な輝度特性補正を行うことができる高品位な映像表示装置を提供することを目的とする。
【０００８】  この発明の一実施の形態は、入力映像データが入力される加算器又は減算器を含む演算経路と、前記演算経路で用いる補正データを格納したメモリであり、少なくとも１つの表示ドットの輝度特性上で複数の輝度補正点を設定し、前記複数の輝度補正点の補正データを格納したメモリと、前記演算経路及び前記メモリとを制御する制御部とを有し、前記制御部の制御により、前記表示ドットに対する上記複数の輝度補正点の前記入力映像データが入力したときに、前記メモリに格納されている補正データを、前記入力映像データの補正用として前記演算経路に与え、前記複数の輝度補正点の間の入力映像データが入力したときは、前記補正データを用いて補間補正データを生成し、この補間補正データを、前記入力映像データの補正用として前記演算経路に与える。さらに具体的には本発明の実施の形態において説明する。
【０００９】  上記した手段によると、表示ドット毎にきめ細かい輝度補正を得ることができる。そして入力映像データに対する適切な補正データを使用することができるため、表示ドットの輝度特性を所望の特性に補正することができる。この結果、複数の表示ドット間の輝度むらも良好に低減することができる。これにより、ディスプレイの映像品位を上げることができる。
【図面の簡単な説明】
【００１０】［図１］図１は本発明が適用された表示装置の全体的な概要を示す図である。
［図２Ａ］図２Ａは本発明に係る装置の機能を理解するために、信号線を介して表示ドットに与えられる最小パルス幅の例を示した説明図である。
［図２Ｂ］図２Ｂは本発明に係る装置の機能を理解するために、信号線を介して表示ドットに与えられる最大パルス幅の例を示した説明図である。
［図２Ｃ］図２Ｃは本発明に係る装置の機能を理解するために、走査線を介して表示ドットに与えられるパルスの例を示した説明図である。
［図２Ｄ］図２Ｄは本発明に係る装置の機能を理解するために、表示ドットに与えられる電圧と輝度の変化特性を示す説明図である。
［図２Ｅ］図２Ｅは本発明に係る装置の機能を理解するために、表示ドットに与えられるパルス幅変調電圧と輝度の変化特性を示す説明図である。
［図３Ａ］図３Ａは本発明の装置において電圧設定Ｖｘ０を基準としてパルス幅を可変したときに得られる表示ドット駆動電圧の例を示した説明図である。
［図３Ｂ］図３Ｂは本発明の装置において電圧設定Ｖｘ１を基準としてパルス幅を可変したときに得られる表示ドット駆動電圧の例を示した説明図である。
［図３Ｃ］図３Ｃは本発明の装置において電圧設定Ｖｘ２を基準としてパルス幅を可変したときに得られる表示ドット駆動電圧の例を示した説明図である。
［図３Ｄ］図３Ｄは本発明の装置において電圧設定Ｖｘ３を基準としてパルス幅を可変したときに得られる表示ドット駆動電圧の例を示した説明図である。
［図４］図４は本発明に導入された、輝度特性補正回路で画像データ補正対象となる表示ドットＢの駆動電圧に対する輝度特性を説明するために示した説明図である。
［図５］図５は輝度変化に対する表示ドット分布を説明するために示した説明図である。
［図６］図６は図４の特性ラインＣＨＢを補正するために、輝度特性補正回路において得られる特性を説明するために示した説明図である。
［図７］図７は本発明に導入された、輝度特性補正回路で画像データ補正対象となる表示ドットＡＡの駆動電圧に対する輝度特性を説明するために示した説明図である。
［図８］図８は図７の特性ラインＣＨＡＡを補正するために、輝度特性補正回路において得られる特性を説明するために示した説明図である。
［図９］図９は本発明の要部となる構成例を説明するために示した図である。
［図１０］図１０は本発明の要部となる他の構成例を説明するために示した図である。
［図１１］図１１は図１０の回路の動作を説明するために示した図である。
［図１２］図１２は本発明が適用されたカラー表示装置の要部の構成例を示す図である。
［図１３］図１３は図１２に示した装置の動作を説明するために示したフローチャートである。
［図１４］図１４はこの発明にかかる補正データの作成方法の他の例を示す説明図である。
［図１５］図１５はこの発明にかかる補正データの作成方法の他の例を示す説明図である。
［図１６］図１６はこの発明のさらに他の実施の形態を示す構成説明図である。
［図１７］図１７はこの発明にさらに基本的な構成を説明するために示した構成説明図である。
［図１８］図１８は図１７の装置の動作を説明するために示す図であり、補正画像データの補正対象となる表示ドットＤＤの駆動電圧に対する輝度特性を説明するために示した説明図である。
【発明を実施するための最良の形態】
【００１１】  以下、図面を参照してこの発明の一実施の形態を説明する。図１において、１０２は信号線ドライバ駆動回路であり、例えば図示しない映像信号処理回路によりコントラスト調整やブライト調整、輪郭強調などの高画質化処理が行われたＲ，Ｇ，Ｂの映像データが入力される。この映像データは、Ｒ、Ｇ、Ｂ入力回路１１１を介して輝度特性補正回路１１２に入力される。輝度特性補正回路１１２は、図示しないメモリなどに保存された補正データを用いて映像データを補正演算するもので、この具体的方法及び回路構成については後述する。またこの輝度特性補正回路１１２で行う処理については、ソフトウエアにより処理してもよい。【００１２】  輝度特性補正回路１１２から出力されたＲ，Ｇ，Ｂの各映像データは、平面パネル表示部１０４の信号線ドライバ１２１に入力される。この信号線ドライバ１２１には、１走査ライン分の各表示ドットに対応する映像データが１水平走査期間内に入力される。信号線ドライバ１２１は、輝度特性補正回路１１２から入力された１走査ライン分のＲ，Ｇ，Ｂの各映像データを保持し、この映像データに応じた信号を１走査ライン分の各表示ドットに対して一斉に供給する。このとき、各表示ドットに与えられる信号は、パルス幅及び電圧値が、入力映像データに応じて設定される。この明細書中では、１つの素子による表示部分を表示ドットと称することにする。またＲ（Ｒｅｄ）Ｇ（Ｇｒｅｅｎ）Ｂ（Ｂｌｕｅ）の３つの素子によるカラー表示部分を画素と称することにする。【００１３】  図２Ａ−図２Ｄは、ある表示ドットに対して走査線ドライバ１２３より与えられる電圧と、信号線ドライバ１２１より与えられる電圧のパルス幅の例と、表示ドットに与えられる駆動電圧の変化の様子を示している。図２Ｄは、駆動電圧と輝度の関係を示している。図２Ｅは、パルス幅変調によるパルス幅と輝度との関係を示している。【００１４】  今、信号線ドライバ１２１の１つの信号線の出力は、入力側では１０ビットで表現されるものとする。そして、この１０ビットのうち、電圧振幅が２ビットで表され、パルス幅が８ビットで表されるものとする。このときは、パルス幅は１ａから２５６ａで表される（最小パルス幅はａ）ものとする。【００１５】  また、この図２Ａ−図２Ｅはこの表示ドットに与えられる電圧と、表示ドットの輝度に関する基本的な考え方を説明するために示している。【００１６】  まず、振幅変調したときの、ある表示ドットに対する印加電圧と輝度との特性を、図２Ｄを用いて説明する。【００１７】  今、ある表示ドットが接続されている走査線に対して、図２Ｃに示す電圧Ｖｙが与えられているものとする。次に、その表示ドットの信号線に１水平走査期間（図２Ｂに示すパルス幅２５６ａ）に渡って与える電圧Ｖｘを変えていくと、図２Ｄに示すような特性となる。【００１８】  次に、パルス幅変調したときの、ある表示ドットに対するパルス幅と輝度との特性を、図２Ｅを用いて説明する。【００１９】  今、ある表示ドットが接続されている走査線に対して、図２Ｃに示す電圧Ｖｙが与えられているものとする。次に、その表示ドットの信号線に与えるパルス幅を可変するものとする。パルス幅は、パルス幅ａ（図２Ａに示す）の単位で１ａから最大の２５６ａ（図２Ｂに示す）間で可変されるものとする。このときのパルスの電圧値は、図２ＤのＶｘの領域に存在している、ある値とする。【００２０】  このときのパルス幅Ｖｘｗ（ａ）乃至Ｖｘｗ（２５６ａ）に対して、表示ドットの輝度Ｌは図２Ｅのような特性を示すものとする。パルス幅の変化に対して輝度はほぼ比例するため、最大パルス幅２５６ａのときの輝度がＬであるとすると、図２Ｅのように最小パルス幅ａのときの輝度はＬ／２５６である。【００２１】  ここで、図２Ｄの可変電圧Ｖｘについては、図４に示すように最大輝度を４分割した値となるようなＶｘ１〜Ｖｘ４が設定される。即ち、Ｌ２＝２Ｌ１、Ｌ３＝３Ｌ１、Ｌ４＝４Ｌ１の関係となるようにＶｘ１〜Ｖｘ４が設定される。そして図３Ａ−図３Ｄのように例えばＶｘ１〜Ｖｘ４の４段階の基本の直流電圧の設定を行うと、図４のようにＶｘ１の時の輝度Ｌ１、Ｖｘ２の時の輝度Ｌ２、Ｖｘ３の時の輝度Ｌ３、Ｖｘ４の時の輝度Ｌ４を得ることができる。【００２２】  信号線ドライバ１２１では、１０ビットの入力信号が利用される。このうち２ビット（例えば００，０１，１０，１１）は、基本の直流電圧Ｖｘ０，Ｖｘ１，Ｖｘ２，Ｖｘ３をそれぞれ一挙に得るために利用される。そして残りの８ビット（値１〜２５６）がパルス幅を可変するために利用される。【００２３】  図３Ａ−図３Ｄに示すように、例えば上位の２ビットにより、図３Ａ，図３Ｂ、図３Ｃ、図３Ｄのように４種類の基準となる基本の直流電圧Ｖｘ０、Ｖｘ１，Ｖｘ２，Ｖｘ３を得ることができる。次に８ビットのデータを可変することにより、入力が１〜２５６の範囲で変化したときは図３ＡのようにＶｘ１の電圧でパルス幅の変化が得られる。また、図３Ｂのように、入力が２５７〜５１２の範囲で変化したときは、Ｖｘ１に加えてＶｘ２の電圧でパルス幅の変化が得られる。また図３Ｃのように、入力が５１３〜７６８と変化したときは、Ｖｘ２に加えてＶｘ３の電圧でパルス幅の変化が得られる。さらに、図３Ｄのように、入力が７６８〜１０２３の範囲で変化したときは、Ｖｘ３に加えてＶｘ４の電圧でパルス幅の変化が得られる。【００２４】  上記のように信号線の電圧が可変された場合、表示ドットＡは、例えば図４の特性ラインＣＨＡのように、Ｖｘ０時の輝度Ｌ０、Ｖｘ１の時の輝度Ｌ１、Ｖｘ２の時の輝度Ｌ２、Ｖｘ３の時の輝度Ｌ３、Ｖｘ４の時の輝度Ｌ４を得ることができる。【００２５】  図４には、輝度特性が異なる表示ドットＡの特性ラインＣＨＡと、表示ドットＢの特性ラインＣＨＢを示して入る。この特性の違いは、輝度むら発生の要素となる。この輝度むらの低減処理については、後で詳しく説明する。【００２６】  上記の輝度特性においては、Ｌ２＝２Ｌ１、Ｌ３＝３Ｌ１、Ｌ４＝４Ｌ１の関係となるようにＶｘ１〜Ｖｘ４の電圧を設定した。しかし、Ｖｘ１〜Ｖｘ４の設定はこのとおりでなくてもよく、例えば、Ｖｘ２＝２Ｖｘ１、Ｖｘ３＝３Ｖｘ１、Ｖｘ４＝４Ｖｘ１等の設定でも構わない。また、上記では、信号線ドライバ１２１で用いられる信号を１０ビットとして、Ｖｘ１〜Ｖｘ４を得るためのパルス幅変調電圧変化を２５６段階として説明したが、この通りでなくても構わない。【０���２７】  なお輝度特性補正回路１１２は、図１では、平面パネル表示部１０４の外に示しているが、平面パネル表示部１０４内に組み込まれていてもよい。【００２８】  走査線ドライバ１２３は、水平同期信号に同期して、一番上のラインから順に各ラインを負の電圧（図２Ｃ参照）で走査を行う。【００２９】  信号線ドライバ１２１からの信号線と、走査線ドライバ１２３からの走査線との各交点にはマトリクス状に複数の発光素子が配置され、この発光素子に対して、Ｖｆ＝（Ｖｙ＋Ｖｘ）の駆動電圧を与えることにより発光が起こる。【００３０】  しかしながら、図２Ｄに示す輝度特性は、表示ドット毎に多少異なる。このため、各電圧Ｖｘ１〜Ｖｘ４に対応する輝度Ｌ１〜Ｌ４も表示ドット毎に異なってしまう。例えば図４の特性ラインＣＨＡを持つ表示ドットＡと、特性ラインＣＨＢを持つ表示ドットＢとは、互いに輝度特性が異なる。【００３１】  そのため、輝度むらが生じる。また、輝度Ｌ１〜Ｌ４のばらつきは表示ドット（画素）ごとに一様ではないため、後述する補正が必要である。【００３２】  図５は、複数表示ドットに電圧Ｖｘ１と、電圧Ｖｘ４が印加されたとき、複数表示ドットが輝度上でどのように分布するかを示す例である。この分布特性は、Ｖｘ１〜Ｖｘ４の電圧によってそれぞれ異なる。つまり、Ｖｘ１では１．０である表示ドットがＶｘ２〜Ｖｘ４において１．０であるとは限らない。例えば電圧Ｖｘ１では正規化精度分布が５ａの特性であっても、電圧Ｖｘ３では５ｂの特性になることもある。このために、複数の表示ドット間で輝度のばらつきがあり、このばらつきを軽減する必要がある。【００３３】  さらにまた、１つの表示ドットを見た場合、信号線ドライバ１２１の入力（＝輝度特性補正回路の出力）が、１〜２５６（第１の輝度領域）まで、２５７〜５１６（第２の輝度領域）まで、５１７〜７６８（第３の輝度領域）まで、７６９〜１０２３（第４の輝度領域）までの、それぞれの領域での入力に対する輝度の変化率（傾斜）が異なる。【００３４】  上記のことを考慮して、本発明では、表示ドットの輝度を区分した複数の輝度領域に対応して、表示ドットに与える映像データのレベルを区分した複数の映像レベル領域（第１の映像レベル領域から第４の映像レベル領域）を設定する。さらに、各領域に対して、映像データが変化することに伴い、輝度が変化する変化率（傾斜）をもつ特性ラインＣＨ１−ＣＨ４（特性ラインについては、図６を参照して説明する）の存在を認識している。別の言い方をすると、複数の輝度補正点を設定し、各補正点を通過する、映像データの補正特性ラインの傾斜を補正している。【００３５】  つまり表示ドット間の輝度ばらつきを補正するために、表示ドットに与える映像データに対する補正データを求める。この補正データは、例えば、表示ドット毎の輝度（カンデラ）を測定し、その表示ドット間のバラツキの情報を求める。そして、相対的に、輝度の高い表示ドットを輝度の低い基準表示ドットの方へ合わせるように補正データを作成するのである。このためには、補正回路において、入力対出力の関係を１（入力）対１（出力）とするのではなく、入力対出力を１対（１＋α）にする補正が行われる。あるいは、入力対出��の関係を１（入力）対（１−α）にする補正が必要である。【００３６】  さらに、輝度が変化する範囲において、複数の領域の輝度変化率を考慮する必要がある。例えば表示ドットＡに関して、輝度Ｌ１（＝１．００）、輝度Ｌ２（＝０．９５）、輝度Ｌ３（＝０．９０）、輝度Ｌ４（＝０．８５）であったとする。ここで“１”は、例えば全表示ドットの平均輝度を意味する。そしてこの表示ドットＡの輝度をあわせ込むべき輝度の低い方の表示ドットＢは、輝度特性の複数点の輝度Ｌ１〜Ｌ４がそれぞれ０．８０であったとする。すると、この表示ドットに対する映像データのレベルは、補正回路１１２において、図６の特性に沿って入力データが補正されなければならない。つまり輝度の低い方の表示ドットの輝度変化特性に、輝度の高いほうの表示ドットの輝度変化特性をあわせ込む補正が行われる。【００３７】  図６は、輝度特性補正回路１１２において実行される、表示ドットＡに対する輝度特性補正回路の入出力特性である。縦軸は、出力データ、横軸は入力データの値を示している。出力データとして、等間隔でｙ１＝２５６、ｙ２＝５１２、ｙ３＝７６８、ｙ４＝１０２３を設定する。これに対して、入力データｘ１、ｘ２、ｘ３、ｘ４の値は、上記の合わせ込みを考慮すると、
ｘ１＝２５６（ｙ１）  ×１．００（Ｌ１）／０．８０＝３２０
ｘ２＝５１２（ｙ２）  ×０．９５（Ｌ２）／０．８０＝６０８
ｘ３＝７６８（ｙ３）  ×０．９０（Ｌ３）／０．８０＝８６４
ｘ４＝１０２３（ｙ４）×０．８５（Ｌ４）／０．８０＝１０８６
である。０．８０は、あわせ込むべき表示ドットの輝度変化特性の複数点の輝度Ｌ１〜Ｌ４をそれぞれ０．８０と設定したためである。この例では、あわせこむべき表示ドットＢの輝度変化特性の複数点の輝度Ｌ１，Ｌ２、Ｌ３，Ｌ４が全て係数０．８としている。これは説明を容易にしたためであり、複数点の輝度Ｌ１，Ｌ２、Ｌ３，Ｌ４は、それぞれ測定結果により異なる場合もある。したがって、輝度特性に応じて、係数を決めてよい。【００３８】  上記のｘ１−ｘ４（入力データを意味する）の値と対応するｙ１−ｙ４（出力データを意味する）の値をプロットしたものが、図６に示す内容である。ここで、各プロット間における補正データを考えてみる。補正データの特性ラインは、各プロット間（各領域）で傾きを持ち、また切片を持つ。【００３９】  以下その傾きと、切片を求めた例を示す。【００４０】  第２の輝度領域、第２の輝度領域、第３の輝度領域、第４の輝度領域における特性ラインＣＨ１−ＣＨ４の傾きを求め、それに１０２３をかけて補正データ１（Ｈ１）〜４（Ｈ４）を求めると、
補正データ１（Ｈ１）
＝１０２３×（２５６（ｙ１）−０）／（３２０（ｘ１）−０）
＝８１８
補正データ２（Ｈ２）
＝１０２３×（５１２（ｙ２）−２５６（ｙ１））／（６０８（ｘ２）−３２０（ｘ１））
＝９０９
補正データ３（Ｈ３）
＝１０２３×（７６８（ｙ３）−５１２（ｙ２））／（８６４（ｘ３）−６０８（ｘ２））
＝１０２３
補正データ４（Ｈ４）
＝１０２３×（１０２３（ｙ４）−７６８（ｙ３））／（１０２３（ｘ４）−８６４（ｘ３））
＝１１７０
となる。ここで、上記の式で１０２３をかけているのは、傾きが１の表示ドット（あわせこむべき表示ドット）の補正データを１０２３（１０ビット表示で最大値）とするためである。しかし、補正データ２（Ｈ１）〜４（Ｈ４）は、表示ドットの輝度特性によっても左右される。図６のＣＨ４のように、傾きが１より大きい表示ドットもある。したがって、１１ビットで補正データを表現するようにしている。【００４１】  また、上記の傾きをもつ特性ラインＣＨ１−ＣＨ４は、切片を持つ必要がある。その切片（図６のｙ軸との交点）を求めると、
補正データ２（Ｈ２）’＝５１２（ｙ２）−９０７（Ｈ２）×６０８（ｘ２）／１０２４
＝−２７
補正データ３（Ｈ３）’＝７６８（ｙ３）−１０２２（Ｈ３）×８６４（ｘ３）／１０２４
＝−９５
補正データ４（Ｈ４）’
＝１０２３（ｙ４）−１１６５（Ｈ４）×１０８６（ｘ４）／１０２４
＝−２１９
となる。【００４２】  上記のように乗算用の補正データ１（Ｈ１）から４（Ｈ４）と加算用の補正データ２（Ｈ２）’から４（Ｈ４）’を用いて、表示ドットＡに与える映像データを補正し、表示ドットＡ、表示ドットＢ間のばらつきを低減することができる。他の表示ドット間においても同様に輝度ばらつきを低減することができる。【００４３】  上記の例では、図４に示したように、輝度の高い表示ドットＡの輝度特性を輝度の低い表示ドットＢの輝度特性に合わせるように修正した例を示した。しかし、逆に輝度の低い表示ドットの特性を輝度の高い表示ドットの特性に合わせるように修正を行ってもよい。【００４４】  図７には、輝度特性が異なる表示ドットＡＡの特性ラインＣＨＡＡと、表示ドットＢＢの特性ラインＣＨＢＢを示して入る。ここで、特性ラインＣＨＢＢが他の表示ドットの特性ラインよりも輝度が高いことを示し、且つ、最高の輝度がＬ４を超えない程度であったとする。このような場合は、他の輝度の低い表示ドットの特性ラインＣＨＡＡが特性ラインＣＨＢＢに近くなるように、特性ラインＣＨＡＡを補正するほうが得策である。これは、画面全体の輝度が明るい方向へ修正されるからである。【００４５】  例えば表示ドットＡＡに関して、輝度変化範囲の複数点の輝度を測定した場合、以下のような測定結果が得られたとする。輝度Ｌ１（＝０．５）、輝度Ｌ２（＝０．６）、輝度Ｌ３（＝０．７）、輝度Ｌ４（＝０．８）であったとする。そしてこの表示ドットＡＡの輝度をあわせ込むべき輝度の高い方の表示ドットＢＢは、輝度特性の複数点の輝度Ｌ１〜Ｌ４がそれぞれ０．８０であったとする。すると、この表示ドットに対する映像データのレベルは、補正回路１１２において、図８の特性に沿って入力データが補正されなければならない。つまり輝度の高い方の表示ドットＡＡの輝度変化特性に、輝度の低いほうの表示ドットの輝度変化特性ＢＢをあわせ込む補正が行われる。出力ｙとして２５６，５１２，７６８，１０２３を得るためには、各入力ｘ１、ｘ２、ｘ３、ｘ４は、以下のようになる。【００４６】  ｘ１＝２５６（ｙ１）  ×０．５（Ｌ１）／０．８０＝１６０
ｘ２＝５１２（ｙ２）  ×０．６（Ｌ２）／０．８０＝３８４
ｘ３＝７６８（ｙ３）  ×０．７（Ｌ３）／０．８０＝６７２
ｘ４＝１０２３（ｙ４）×０．８（Ｌ４）／０．８０＝１０２３
上記の入力データｘ１−ｘ４の値と対応する出力データｙ１−ｙ４の値をプロットしたものが、図８に示す内容である。ここで、各プロット間における補正データを考えてみる。補正データの特性ラインは、各プロット間（各領域）で傾きを持ち、また切片を持つ。【００４７】  以下その傾きと、切片を求めた例を示す。【００４８】  第１の輝度領域、第２の輝度領域、第３の輝度領域、第４の輝度領域における特性ラインＣＨ１−２からＣＨ４−２の傾きを求め、それに１０２３をかけて補正データ１（Ｈ１）〜４（Ｈ４）を求めると、
補正データ１（Ｈ１）
＝１０２３×（２５６（ｙ１）−０）／（１６０（ｘ１）−０）
＝１６３６
補正データ２（Ｈ２）
＝１０２３×（５１２（ｙ２）−２５６（ｙ１））／（３８４（ｘ２）−１６０（ｘ１））
＝１１６９
補正データ３（Ｈ３）
＝１０２３×（７６８（ｙ３）−５１２（ｙ２））／（６７２（ｘ３）−３８４（ｘ２））
＝９０９
補正データ４（Ｈ４）
＝１０２３×（１０２３（ｙ４）−７６８（ｙ３））／（１０２３（ｘ４）−６７２（ｘ３））
＝７４３
となる。ここで、上記の式で１０２３をかけているのは、傾きが１の表示ドット（あわせこむべき表示ドット）の補正データを１０２３（１０ビット表示で最大値）とするためである。しかし、補正データ２（Ｈ１）〜４（Ｈ４）は、表示ドットの輝度特性によっても左右される。図６のＣＨ４のように、傾きが１より大きい表示ドットもある。したがって、１１ビットで補正データを表現するようにしている。【００４９】  また、上記の傾きをもつ特性ラインＣＨ１−２−ＣＨ４−２は、切片を持つ必要がある。その切片（図８のｙ軸との交点）を求めると、
補正データ２（Ｈ２）’＝５１２（ｙ２）−１０２２（Ｈ２）×３８４（ｘ２）／１０２４
＝７３
補正データ３（Ｈ３）’＝７６８（ｙ３）−９０９（Ｈ３）×６７２（ｘ３）／１０２４
＝１７１
補正データ４（Ｈ４）’
＝１０２３（ｙ４）−７４３（Ｈ４）×１０２３（ｘ４）／１０２４
＝２８０
となる。【００５０】  上記したようにこの実施形態によると、画像に対する複数の輝度補正点のための補正データをそれぞれ用意する。この補正データは、映像データに対する乗算用と加算用のデータを含む。乗算用のデータは、上記した傾斜特性を決めるデータであり、加算用のデータは、上記した切片を決めるデータである。したがって、映像データに対して、乗算用の補正データを乗算し、次に、この乗算した結果得られた映像データに対して、さらに加算用のデータを加算している。そして、この加算処理により得られた映像データをディスプレイの表示ドットに供給する。【００５１】  図９には、輝度特性補正回路１１２の内部であって、Ｒ，Ｇ，Ｂ映像データのうちの１つの系統を示している。補正部（経路）７０１は、例えば図６で説明した特性ラインＣＨ１、補正部（経路）７０２は特性ラインＣＨ２、補正部（経路）７０３は特性ラインＣＨ３、補正部（経路）７０４は特性ラインＣＨ４の演算をそれぞれ行っている。乗算器７１１において、入力データ１０ビットと補正データ１の１０ビットを掛け算し、その出力２０ビット中の上位１０ビットを出力する。また、乗算器７２１、７３１、７４１において、入力データ１０ビットと補正データ２、補正データ３、補正データ４の１１ビットを掛け算し、その出力２１ビット中の上位１１ビットを出力する。ここでの特性ラインＣＨ１は、切片は０であり、傾きは、先に説明したように、補正データ１（Ｈ１）＝８１８である。したがって、入出力の関係は、
出力データＹ＝傾き×入力データＸ＋切片
であり、表示ドットＡの場合、補正部７０１では、
Ｍ１＝８１８×Ｘ／１０２４＋０
補正部７０２では
Ｙ＝９０７×Ｘ／１０２４＋（−２７）
補正部７０３では
Ｙ＝１０２２×Ｘ／１０２４＋（−９５）
補正部７０４では、
Ｙ＝１１６５×Ｘ／１０２４＋（−２１５）
の演算が行なわれる。【００５２】  ここで、上記の計算式において、１０２４で割り算を行っているのは、乗算器７１１、７２１、７３１、７４１の各出力の下位１０ビットを切り捨てているためである。【００５３】  補正部７０１では、乗算器７１１において入力データに対して、補正データメモリ７１２からの乗算用の補正データ１が乗算されている。補正部７０２では、乗算器７２１において、入力データに対して補正データメモリ７２２からの乗算用補正データ２が乗算され、その結果は加算器７２３に導かれる。この加算器７２３では、乗算結果に対して、補正データメモリ７２４からの切片データ、つまり加算用の補正データ（−２７）が加算されている。【００５４】  補正部７０３では、乗算器７３１において、入力データに対して補正データメモリ７３２からの乗算用の補正データ３が乗算され、その結果は加算器７３３に導かれる。この加算器７３３では、乗算結果に対して、補正データメモリ７３４からの加算用の補正データ（−９５）が加算されている。【００５５】  補正部７０４では、乗算器７４１において、入力データに対して補正データメモリ７４２からの補正データ４が乗算され、その結果は加算器７４３に導かれる。この加算器７４３では、乗算結果に対して、補正データメモリ７４４からの加算用の補正データ（−２１５）が加算されている。【００５６】  上記の乗算器７１１の出力Ｍ１、加算器７２３の出力Ｍ２，加算器７３３の出力Ｍ３、加算器７４３の出力Ｍ４は、選択手段としてのセレクタ７５０に入力される。【００５７】  このセレクタ７５０は、各輝度領域に対応した値のデータを選択して出力する。つまり、入力部７００の入力データの値ＩＮＰが、ＩＮＰ≦２５６のときは、Ｍ１を選択して導出する。２５７≦ＩＮＰ≦５１６のときはＭ２を選択して導出する。５１７≦ＩＮＰ≦７６８のときは、Ｍ３を選択して導出する。７６９≦ＩＮＰのときは、Ｍ４を選択して導出する。セレクタ７５０で選択された出力データ（例えばＲの映像データ）は、図１で示した信号線ドライバ１２１に入力される。他のＧ又はＢの映像データも同様な処理が行われて信号線ドライバ１２１に入力される。このようにセレクタ７５０では、入力データによって、どのデータを使うかが決まる。【００５８】  上記と同様な計算で求めた補正データが、各表示ドットに対して用意され、全画面に対して輝度補正がなされる。７５５は、アドレス発生部である。アドレス発生部７５５は、駆動される表示ドットの順序及びアドレスを把握している。したがって、画面上の各表示ドットに対応する適切な補正データが補正データメモリ７１２，７２２，７３２，７４２，７２４，７３４，７４４からそれぞれ読み出されるように、読出しアドレスを発生している。アドレス発生部７５５は補正回路１１２の動作を統括して制御している。アドレス発生回路７５５は、装置全体を統括制御するシステム制御部の一部であってもよい。【００５９】  基準表示ドットとしては、１つではなく、第１の輝度領域と第２の輝度領域で異なるものが設定されてもよい。これにより、各輝度領域で的確な輝度むら補正が得られる。つまり、上記の例において、基準となる表示ドットの輝度が、Ｌ１で０．８で��っても、Ｌ２〜Ｌ４の輝度が０．８であるとは限らない。そのため、実際はそれぞれの領域で異なる表示ドットを基準として補正を行ってもよい。【００６０】  上記の補正データメモリ７１２、７２２、７３２，７４２及び補正データメモリ７２４，７３４，７４４は、ＳＤＲＡＭ等の補正データ格納手段に含まれる。補正データ格納手段としては、メモリ１個でもよく又は、複数を用いてもよい。さらには、他の情報記憶メディアを利用してもよい。【００６１】  また上記の乗算器７１１、７２１、７３１、７４１、加算器７２３、７３３、７４３は、乗算及び加算を行う、輝度むらの低減処理部に含まれる。そして、セレクタ７５０は、補正後映像データを選択して導出する選択手段である。【００６２】  この発明は、上記の実施の形態に限定されるものではない。上記の実施の形態では、輝度領域Ｌ１〜Ｌ４の４つの領域に区分されて、それぞれの領域のための第１、第２、第３、第４の特性ラインを設定し、この特性ラインと同じ傾斜をもつように乗算用と加算用の補正データを用いて、入力映像データを補正した。しかし輝度領域の区分数は、４つに限らず、最低２つの区分数であれば本発明の要点は達成される。輝度ばらつきの程度に応じて、区分数を変えてもよい。【００６３】  図１０には、この発明の他の実施の形態を示している。すなわち、図９のブロックに対応する部分には図９と同一符号を付している。この実施形態は、図１１に示すように、輝度領域を等分で２つに区分し、それぞれの領域に対応する特性ラインＣＨＡ１と、ＣＨＡ２を設定した例である。特定ラインＣＨＡ１を得るために、補正データメモリ７１２からの補正データ１が用いられ、特定ラインＣＨＡ２を得るために補正データメモリ７２２からの補正データ２と、補正データメモリ７２４からの補正データ２’が用いられる。【００６４】  図１２には、Ｒ，Ｇ，Ｂの映像データに対する輝度特性補正部を示している。Ｒ，Ｇ，Ｂの映像データは、それぞれ入力部８００Ｒ、８００Ｇ，８００Ｂを介してそれぞれＲ用補正データの乗算及び加算部８０１Ｒ、Ｇ用補正データの乗算及び加算部８０１Ｇ、Ｂ用補正データの乗算及び加算部８０１Ｂに入力される。【００６５】  Ｒ用補正データの乗算及び加算部８０１Ｒ、Ｇ用補正データの乗算及び加算部８０１Ｇ、Ｂ用補正データの乗算及び加算部８０１Ｂのそれぞれは、図９で説明したような乗算器、補正データメモリ、加算器を含む回路である。Ｒ用補正データの乗算及び加算部８０１Ｒ、Ｇ用補正データの乗算及び加算部８０１Ｇ、Ｂ用補正データの乗算及び加算部８０１Ｂのそれぞれの出力は、セレクタ８０２Ｒ，８０２Ｇ，８０２Ｂに入力される。セレクタ８０２Ｒ，８０２Ｇ，８０２Ｂでは、それぞれ図９で説明したように、適正データが選択され出力される。【００６６】  ８０３は、補正データメモリアクセス部（図９のアドレス発生部に相当する）であり、８０４は、補正データメモリ（図９の補正データメモリ７１２，７２２，７３２，７４２，７２４，７３４，７４４に相当する）である。補正データメモリ８０４は、先に説明したように、補正データを含み、補正データメモリアクセス部８０３の制御の元で各表示ドットに対応した補正データを出力する。これによりＲ用補正データの乗算及び加算部８０１Ｒ、Ｇ用補正データの乗算及び加算部８０１Ｇ、Ｂ用補正データの乗算及び加算部８０１Ｂ、セレクタ８０２Ｒ，８０２Ｇ，８０２Ｂに対して補正データが与えられる。【００６７】  図１３は、上記の装置の動作を概略的に示すフローチャートである。表示ドットに対応する補正データが補正データメモリ８０４から選択される（ステップＳＴ１）。次に補正データを入力データに掛ける処理が実行される（ステップＳＴ２）。次に乗算結果に対して、切片となる補正データを加算する処理が実行される（ステップＳＴ３）。次に、生成されているＭ１、Ｍ２，Ｍ３，Ｍ４の中から適正データが選択されて導出される（ステップＳＴ４）。したがって、上記の乗算及び加算処理は、ソフトウエアによっても実現可能である。なお、輝度領域Ｌ１においても、補正データの乗算処理の次の加算処理では、“０”を加算していると考えれば、図１３と同様である。【００６８】  上記した実施形態の説明では、１画面の全表示ドットに対する補正データを補正データメモリに用意しているかのような説明である。しかし、ここで示した実施の形態に限定されるものではない。メモリ容量を低減するためには種々の実施形態が可能である。【００６９】  図１４は、補正データを得る方法の一例を示している。例えば、表示ドットのうち、輝度の低い表示ドットが見つかったとする。すると、この表示ドットを基準の表示ドットとして、この表示ドットの輝度変化と同様な輝度変化が得られるように他の表示ドットの輝度を補正する必要がある。つまり他の表示ドットの輝度を基準の表示ドットの輝度に合わせ込む処理が必要である。【００７０】  この場合、基準となる表示ドットの輝度Ｌ１，Ｌ２，Ｌ３，Ｌ４に対応する入力映像データの値をメモリ９０１に格納する。一方、各表示ドット（１，１）、…（ｎ，ｍ）に関する補正情報としては、基準表示ドットの輝度Ｌ１，Ｌ２，Ｌ３，Ｌ４に対する輝度差データをテーブル９０２に格納するのである。勿論、基準表示ドットと同じ条件で、他の表示ドットの輝度を測定した結果の輝度差の情報である。この輝度差の情報は、基準表示ドットに対応する映像データと、これと比較対象となる表示ドットに対応する映像データの差分（差分映像データ）として格納される。ここでＬ１−Ｌ２，Ｌ２−Ｌ３，Ｌ３−Ｌ４の各領域では、パルス幅による輝度調整であるから輝度は、映像データの変化に応じてリニアに変化するものとしている。これにより、保存するデータ量を低減しながら、各表示ドット間の輝度むらを抑制する為の補正データを得ることができる。ここでは、テーブル９０２を示しているが、テーブルとしては、Ｒ用、Ｇ用、Ｂ用が用意されてもよい。【００７１】  このテーブル９０２と、メモリ９０１が用意されることにより、補正データ１，２，３，４は、容易に計算部９０３で計算することができる。また補正データ１，２，３，４が得られると、補正データ２’，３’，４’も計算部９０４で得ることができる。【００７２】  上記のように構成した場合、基準表示ドットのＬ１，Ｌ２，Ｌ３，Ｌ４を修正すれば、全体を容易に修正変更することが可能となる。例えば、経年変化或は温度などにより、基準表示ドットが異なる別の表示ドットになったり、さらには、基準表示ドットの基準値が変化することがあるからである。このような場合は、全体データを修正しなくてもメモリ９０１の保存データを修正することで容易に対応することができる。この変更修正は、マニュアルで行うようにしてもよいし、自動的に修正されるようにしてもよい。要はメモリ９０１の内容を外部から修正できる手段をもてばよい。【００７３】  また、補正データを格納するメモリとしては、複数を示したが、１つのメモリを有効に活用する工夫を行っても良い。また、保存する補正データもこの通りでなくてもよい。例えば第１の輝度領域の乗算用データをＨ１とし、第２の輝度領域の乗算用データをＨ２とする。ここでＨ２の代わりにＨ２１＝（Ｈ２−Ｈ１）という予備データ（差分データ）を用意する。すると輝度特性補正を行う場合には、Ｈ１とＨ２１とを用いて、Ｈ２＝（Ｈ１＋Ｈ２１）から、Ｈ２を再現することができる。Ｈ２１は差分データであり、値が小さいので、使用するメモリ容量を低減できる。【００７４】  加算用データは、Ｈｌ，Ｈ２（又はＨ２１）を用いて以下のように生成することができる。入力データをＸ、出力データをＹとすると、
Ｙ＝Ｈ１＊Ｘ                    …領域１
Ｙ＝Ｈ２（又はＨ２１＋Ｈ１）＊Ｘ＋ｂ    …領域２
であり、連立方程式が得られ、領域１と２の交点の座標からｂを算出することができる。これにより、メモリ容量低減に寄与できる。この考え方は、輝度特性補正部全体がソフトウエア処理で実現される場合、あるいはハードウエアで構築される場合のいずれでも採用できる。【００７５】  上記の説明では、差分データを利用したが、これに限らず割算結果によるデータ、さらには圧縮データなど種々の予備データが可能である。結果的にメモリ容量を低減できるようなものであればよい。【００７６】  さらにまた、上記の実施形態では、輝度が低い表示ドットを基準として、この基準表示ドットの輝度に、輝度の高い他の表示ドットの輝度を合わせ込む補正を行うとした。しかし、この補正による輝度むらの低下より、輝度の低下が深刻な問題となるような場合は、ある程度高い輝度の表示ドットを規準としても構わない。【００７７】  図１５は更に他の実施の形態を示している。図１０に示した実施の形態では、出力データを選択する場合、最終段にセレクタ７５０を設けた。しかしこの方式に限らず、入力段階で判定部７６１を設けておき、入力データのレベルに応じて、乗算用補正データ及び加減算用補正データをセレクタ７６４、７６５、７６６により選択するようにしても良い。他の部分は、図１０に示した例と同じであるから細かい説明は省略する。【００７８】  図１６はさらにこの発明の他の実施の形態を示している。入力部７００は、乗算器７１に接続されるとともに、入力レベル判定部７５３に接続されている。乗算器７１には、セレクタ７５１で選択された乗算用補正データが入力される。乗算器７１の乗算結果の映像データは、加算器７３に入力される。加算器７３には、セレクタ７５２で選択された加算用補正データが入力される。【００７９】  セレクタ７５１は、メモリ７４に保存されている補正データグループＧ１−Ｇ４のいずれかの１グループを選択し、選択したグループの中の１つのデータを出力する。セレクタ７５２も、メモリ７２に保存されている補正データグループＧ１’−Ｇ４’のいずれかの１グループを選択し、選択したグループの中の１つのデータを出力する。いずれのグループが選択されるのかは、入力レベル判定部７５３の判定出力により決まる。入力レベル判定部７５３は、入力信号のレベルが、図６及び図８で示したＶｘのどの値に属するかによって、選択するグループを特定する。グループの中の出力データは、アドレス発生部７５が決める。画面上の表示ドットのアドレスに応じて補正データが決まっており、アドレス発生部は表示ドットのアドレスを認識している。したがって、アドレス発生部７５が指定するアドレスの補正データが対応する表示ドットに供給される映像データを補正することになる。【００８０】  上記の構成であっても、先に説明した実施の形態と同様な輝度むら低減処理を得ることができる。【００８１】  図１７はこの発明の特徴となる基本構成を示す実施形態である。入力端子１１１２には、入力映像データが入力される。入力映像データは、加算器又は減算器を含む１つの演算経路１１１３に供給さえる。また入力映像データは、制御部１１１４にも入力される。メモリ１１１５は、演算経路１１１３で用いる補正データを格納し���いる。ここで、図１８に示すように、メモリ１１１５は、補正対称となる１つの表示ドットＤＤの輝度特性上で複数の輝度補正点Ｐ１１、Ｐ１２，Ｐ１３，Ｐ１４を設定し、メモリ１１１５には、前記複数の輝度補正点の補正データを格納している。表示ドットＤＤの特性ＣＨＤＤを基準となる表示ドットＣＣの特性ＣＨＣＣに近づけるものとする。【００８２】  制御部１１１４は、表示ドットＤＤに対する複数の輝度補正点Ｐ１１，Ｐ１２，Ｐ１３，Ｐ１４に対応する入力映像データが入力したときに、メモリ１１１５に格納されている補正データを読み出し、入力映像データの補正用として演算経路１１１３に与える。また、複数の輝度補正点の間の入力映像データが入力したときは、補正データを用いて補間補正データを生成し、この補間補正データを、入力映像データの補正用として演算経路１１１３に与える。輝度補正点Ｐ１１とＰ１２の間、輝度補正点Ｐ１２とＰ１３の間、輝度補正点Ｐ１３とＰ１４の間の補間補正データは、直線近似で求めてもよいし、関数を用いた近似で求めてもよい。関数を用いた近似で補間補正データを求める場合には、関数は素子のタイプに応じた関数としてもよい。【００８３】  なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【産業上の利用可能性】
【００８４】  この発明は、例えばフィールドエミッション（Ｆｉｅｌｄ  Ｅｍｉｓｓｉｏｎ：電界放出）タイプの素子、表面電界（Ｓｕｒｆａｃｅ−ｃｏｎｄｕｃｔｉｏｎ  Ｅｌｅｃｔｒｏｎ−ｅｍｉｔｔｅｒ）タイプの素子、プラズマ発光素子などを用いた平面型の映像表示装置に適用可能である。表示ドット毎の輝度むらを補正する場合、或いは表示ドットの輝度特性を補正する場合に有効である。
【図１】
2005124734.tif 000002
2005124734.tif 000003
2005124734.tif 000004
2005124734.tif 000005
2005124734.tif 000006
【図４】
2005124734.tif 000007
【図５】
2005124734.tif 000008
【図６】
2005124734.tif 000009
【図７】
2005124734.tif 000010
【図８】
2005124734.tif 000011
【図９】
2005124734.tif 000012
【図１０】
2005124734.tif 000013
【図１１】
2005124734.tif 000014
【図１２】
2005124734.tif 000015
【図１３】
2005124734.tif 000016
【図１４】
2005124734.tif 000017
【図１５】
2005124734.tif 000018
【図１６】
2005124734.tif 000019
【図１７】
2005124734.tif 000020
【図１８】
2005124734.tif 000021
【国際調査報告】
2005124734.tif 000022
2005124734.tif 000023
2005124734.tif 000024
2005124734.tif 000025